(57)【要約】      （修正有）【課題】従来のＣＤ等を使用したＤＪプレイ用の装置と比べて、堅牢且つ安価で、柔軟な操作性を実現する。【解決手段】デジタルオーディオデータ再生装置は、本体部１０２と、本体部１０２に脱着可能に設けられた操作部１０４と、操作部１０４に設けられ、指示体の接触及び移動に基づく操作を検出するセンサと、操作部１０４に設けられ、センサが検出した操作データを本体部へ出力する第一無線通信部と、本体部１０２に設けられ、操作部１０４から送信された操作データを受信する第二無線通信部４０９と、本体部１０２に設けられ、複数の音声データファイルが記憶されたストレージ４０２と、本体部１０２に設けられ、ストレージ４０２から読み出された音声データファイルを第二無線通信部４０９により受信した操作データに基づいて所定の信号処理を施した楽曲データを同時に再生可能な再生処理部４０５とを有する。【選択図】図４
2010211878.tif 000002
【特許請求の範囲】
【請求項１】
本体部と、
前記本体部に脱着可能に設けられた操作部と、
前記操作部に設けられ、指示体の接触及び移動に基づく操作を検出するセンサと、
前記操作部に設けられ、前記センサが検出した操作データを前記本体部へ出力する第一無線通信部と、
前記本体部に設けられ、前記操作部から送信された前記操作データを受信する第二無線通信部と、
前記本体部に設けられ、複数の音声データファイルが記憶されたストレージと、
前記本体部に設けられ、前記ストレージから読み出された音声データファイルを前記第二無線通信部により受信した前記操作データに基づいて所定の信号処理を施した楽曲データを同時に再生可能な再生処理部と
を有するデジタルオーディオデータ再生装置。
【請求項２】
更に、
前記操作部に設けられ、前記受信した楽曲データに基づいて表示を変化させる表示部と
を有し、
前記第二無線通信部は、前記操作データに基づいて前記所定の信号処理を施して生成された楽曲情報を前記操作部に送信するものであり、
前記第一無線通信部は、前記本体部の送信回路からの前記楽曲情報を受信するものである、
請求項１記載のデジタルオーディオデータ再生装置。
【請求項３】
前記センサは、第一音楽データファイルの再生速度を変更するＡチャンネルピッチ領域と、第二音楽データファイルの再生速度を変更するＢチャンネルピッチ領域とを含む複数の領域に分割されている、
請求項１又は２記載のデジタルオーディオデータ再生装置。
【請求項４】
前記センサは略円形状に形成されており、
前記Ａチャンネルピッチ領域と前記Ｂチャンネルピッチ領域は前記センサの中心軸に対して線対称の円弧状に形成されている、
請求項３記載のデジタルオーディオデータ再生装置。
【請求項５】
前記センサの円周上の前記Ａチャンネルピッチ領域と前記Ｂチャンネルピッチ領域の中間の位置に、前記第一音声データファイルの再生音量と前記第二音声データファイルの再生音量を相対的に変更するクロスフェーダ領域が形成されている、
請求項３又は４記載のデジタルオーディオデータ再生装置。
【請求項６】
前記センサは一次元の絶対アドレス情報を出力する、
請求項５記載のデジタルオーディオデータ再生装置。
【発明の詳細な説明】
【技術分野】
【０００１】
本発明は、デジタルオーディオデータ再生装置に適用して好適な技術に関する。
より詳細には、ＤＪプレイに適したデジタルオーディオデータ再生装置に関する。
【背景技術】
【０００２】
ダンスミュージック等の音楽シーンで、複数のレコードプレーヤを用いて、異なる楽曲のテンポを合わせてあたかもメドレーのように繋がっているように聞こえさせる特殊な再生方法が、「ＤＪプレイ」という名称で一般化していることは周知である。
このようなＤＪプレイをＣＤで実現する装置も、特許文献１を始めとして周知である。
【先行技術文献】
【特許文献】
【０００３】
【特許文献１】特開２００４−２８８３４１号公報
【発明の概要】
【発明が解決しようとする課題】
【０００４】
ＣＤは再生するためにはスピンドルモータと光ピックアップ等の機構部分、そして光ビームをトラックに追従させるためのフィードバック制御等を必要とする。したがって、機構部分に潜在的な脆弱性を有する。また、ＣＤは嵩張るのでスペースファクタに劣る。
【０００５】
ところで、上述のＤＪプレイは、これまでアナログレコードやＣＤ（Compact Disk）を用いていた。これらのメディアは、一つのメディア当たりに記録可能な楽曲に限りがあるため、所望のＤＪプレイを実現するためには、頻繁に複数のメディアを交換しなければならない。このため、いわゆるＤＪプレーヤ（以下、単にプレーヤと略す）は、これらのメディアを再生する機器から離れることができない。その結果、プレーヤの操作や行動の自由度は制約され、プレーヤの自由なパフォーマンスを阻害していた。
更に、プレーヤは、レコードプレーヤやミキサーなどの種々の機器を使用するため、これらの機器を設置するためのスペースを確保しておくことが必要であった。
【０００６】
本発明はかかる点に鑑みてなされたものであり、従来のＣＤ等を使用したＤＪプレイ用の装置と比べて、堅牢且つ安価で、柔軟な操作性を実現する、新規なデジタルオーディオデータ再生装置を提供することを目的とする。
【課題を解決するための手段】
【０００７】
上記課題を解決するために、本発明のデジタルオーディオデータ再生装置は、本体部と、本体部に脱着可能に設けられた操作部と、操作部に設けられ、指示体の接触及び移動に基づく操作を検出するセンサと、操作部に設けられ、センサが検出した操作データを本体部へ出力する第一無線通信部と、本体部に設けられ、操作部から送信された操作データを受信する第二無線通信部と、本体部に設けられ、複数の音声データファイルが記憶されたストレージと、本体部に設けられ、ストレージから読み出された音声データファイルを第二無線通信部により受信した操作データに基づいて所定の信号処理を施した楽曲データを同時に再生可能な再生処理部とを有する。
【０００８】
支持体の接触及び移動に基づく操作を検出するセンサを操作部に組み込み、この操作データで二曲の音楽データファイルの内、一方の再生状態を制御しつつ、同時に再生する。
【発明の効果】
【０００９】
本発明により、従来のＣＤ等を使用したＤＪプレイ用の装置と比べて、堅牢且つ安価で、柔軟な操作性を実現する、新規なデジタルオーディオデータ再生装置を提供できる。
【図面の簡単な説明】
【００１０】
【図１】本発明の実施形態の例である、デジタルオーディオデータ再生装置の全体斜視図である。
【図２】本発明の実施形態の例である、デジタルオーディオデータ再生装置の、リモコンを離脱した状態の全体斜視図である。
【図３】リモコンの正面図である。
【図４】デジタルオーディオデータ再生装置の全体ブロック図である。
【図５】再生処理部のブロック図である。
【図６】第一信号処理部及び第二信号処理部のブロック図である。
【図７】リモコンの機能ブロック図である。
【図８】センサ基板の概要を説明する概略説明図である。
【発明を実施するための形態】
【００１１】
本実施形態のデジタルオーディオデータ再生装置は、主にＭＰ３（MPEG Audio Layer3）、ＷＭＡ（Windows（登録商標）Media Audio）、ＡＡＣ（Advanced Audio Coding）等の圧縮音声データフォーマット、及びＷＡＶ（RIFF waveform Audio Format）、ＡＩＦＦ（Audio Interchange File Format）等の非圧縮音声データフォーマットの音声データファイルを再生する装置である。デジタルオーディオデータ再生装置は、内蔵のハードディスク装置（以下「ＨＤＤ」）及びＣＦカード等のフラッシュメモリに記憶された音声データファイルを再生する。デジタルオーディオデータ再生装置は、音声データファイルを再生する際、「ＤＪプレイ」と呼ばれる、異なる楽曲のテンポを合わせてあたかもメドレーのように繋がっているような特殊再生機能を備える。ＤＪプレイを実現するため、円盤状のタッチセンサを備えるリモートコントローラ（以下「リモコン」）が、本体部から脱着可能に設けられている。
【００１２】
以下、本発明の実施の形態を、図１〜図８を参照して説明する。
【００１３】
まず、本発明のデジタルオーディオデータ再生装置の構成の概略を図１及び図２に従って説明する。図１に示すように、デジタルオーディオデータ再生装置１０１は、およそレコードジャケットに近い大きさの、略平板状の筐体である本体部１０２の上面に、操作をするためのボタン等の操作子と、ＬＣＤの表示部１０３を備える。更に、本体部１０２の上面の右側には、着脱可能なリモコン１０４が装着されている。
本体部１０２の上面の右上に設けられた離脱ボタン１０５を押すと、リモコン１０４の裏面に設けられている図示しない着脱機構が動いて、リモコン１０４は本体部１０２から離脱する。
【００１４】
デジタルオーディオデータ再生装置１０１は、本体部１０２の図示しない背面にＣＦカードのスロットが設けられている。音声データファイルが記憶されたＣＦカードをスロットに装着すると、ＣＦカードから音声データファイルを再生する。なお、ＣＦカードの代わりに、例えば、ＨＤＤ装置を内蔵して、このＨＤＤ装置に記憶してもよい。
【００１５】
次に本体部１０２の上面に設けられている操作子について、図２に従って説明する。
表示部１０３は例えばＬＣＤであり、再生しようとするＨＤＤやＣＦカードに格納された音声データファイルの一覧を表示したり、再生中の音声データファイルの波形を表示する等、様々な情報を表示する機能を備える。
表示部１０３の右側にはＬＥＤで構成されたレベルインジケータ１０６が設けられている。レベルインジケータ１０６は例えばマスタ出力の信号のレベルをリアルタイムで表示する。
表示部１０３の下には、四つのサンプル指定ボタン１０７ａ、１０７ｂ、１０７ｃ及び１０７ｄが設けられている。
サンプル指定ボタン１０７ａ、１０７ｂ、１０７ｃ及び１０７ｄの下には、サンプル録音ボタン１０８、サンプル再生ボタン１０９、フレーズ録音ボタン１１０が設けられている。
サンプル録音ボタン１０８、サンプル再生ボタン１０９、フレーズ録音ボタン１１０の下には、「ＢＡＣＫ」ボタン１１１、トラック選択ボタン１１２、Ａチャンネル指定ボタン１１３、Ｂチャンネル指定ボタン１１４、「ＣＵＥ」ボタン１１５、再生／一時停止ボタン１１６が設けられている。そして、Ａチャンネル指定ボタン１１３とＢチャンネル指定ボタン１１４の間には、ジョグダイヤル１１７が設けられている。
【００１６】
本実施形態のデジタルオーディオデータ再生装置１０１は、再生を実行する楽曲が格納される音声データファイルを、予め二つ指定するようになっている。
デジタルオーディオデータ再生装置１０１は、本体部１０２内に「Ａチャンネル」と「Ｂチャンネル」という二つの再生ルートを備えており、ＡチャンネルとＢチャンネルはそれぞれ独立した制御を伴う同時再生が可能である。
ＤＪプレイに先立ち、又はＤＪプレイ中に、プレーヤはＡチャンネル指定ボタン１１３を押して、Ａチャンネルに一つの音声データファイルを指定し、Ｂチャンネル指定ボタン１１４を押して、Ｂチャンネルにもう一つの音声データファイルを指定する。この音声データファイルの指定は、例えば表示部１０３に楽曲一覧を表示させた後、ジョグダイヤル１１７を用いてスクロールさせて、所定の音声データに合わせて、Ａチャンネル指定ボタン１１３あるいはＢチャンネル指定ボタン１１４を押して、ＡチャンネルあるいはＢチャンネルに割り当てる音声データファイルを決定する。
【００１７】
デジタルオーディオデータ再生装置１０１は、任意に選択した音声データの再生に加え、さらにサンプリング音を再生することが可能である。このサンプリング音は、例えば、指定した音声データファイルの任意の一部分をサンプル指定ボタン１０７ａ、１０７ｂ、１０７ｃ及び１０７ｄに割り当てる。割り当てたサンプル指定ボタン１０７ａ、１０７ｂ、１０７ｃ及び１０７ｄを押すと、当該音声データが再生される。別の音声データファイルの再生中にこの機能を用いて、音楽のリズムに合わせてサンプリング音を再生すると、パーカッションに似た演奏行為としての効果が得られるので、プレーヤ及び視聴者の嗜好を満たし、好印象を与える効果が得られる。
この、サンプリング音再生機能を実行する際には、Ａチャンネル又はＢチャンネルのいずれか一方をこの機能に割り当てる。
【００１８】
次に、リモコン１０４について、図３に従って説明する。
リモコン１０４の上面には、エフェクタの機能を指定する複数のボタン３０４〜３０８と、エフェクタの機能を調整する複数の操作つまみ３０９〜３１２と、ＤＪプレイ及びサンプリング音再生に使用する円形のパッド３０２が設けられている。
【００１９】
このパッド３０２は、例えば、円形の静電式センサからなるスクラッチ領域３１２と、このスクラッチ領域３１２の外周に設けられ、略円弧状に形成された静電式センサからなる領域３１５〜３１８とから構成される。そして、プレーヤがこれらのセンサに指を触れると、その触れた位置に応じてアドレスが出力される。このアドレスは、各センサの円周方向の位置を示す情報である。
そして、パッド３０２のそれぞれの領域には、円周方向にＬＥＤが複数並べて設けられており、現在の制御状況を示すインジケータとして機能する。
【００２０】
ＬＰＦボタン３０３は、周知のローパスフィルタのエフェクタ機能を指定する押しボタンスイッチである。ＨＰＦボタン３０４は、周知のハイパスフィルタのエフェクタ機能を指定する押しボタンスイッチである。ＦＬＧボタン３０５は、周知のフランジャーのエフェクタ機能を指定する押しボタンスイッチである。ＰＨＳボタン３０６は、周知のフェイザーのエフェクタ機能を指定する押しボタンスイッチである。ＤＬＹボタン３０７は、周知のディレイのエフェクタ機能を指定する押しボタンスイッチである。ＲＥＶボタン３０８は、周知のリバーヴのエフェクタ機能を指定する押しボタンスイッチである。
ＴＲＩＭつまみ３０９ａ及び３０９ｂは、Ａチャンネル又はＢチャンネルの音量を調節するボリューム（ポテンショメータ）である。ＨＩＧＨつまみ３１０ａ及び３１０ｂは、Ａチャンネル又はＢチャンネルの高域を調節するボリュームである。ＭＩＤつまみ３１１ａ及び３１１ｂは、Ａチャンネル又はＢチャンネルの中域を調節するボリュームである。ＬＯＷつまみ３１２ａ及び３１２ｂは、Ａチャンネル又はＢチャンネルの低域を調節するボリュームである。
【００２１】
スクラッチ領域３１３は、プレーヤが再生中の、又はこれから再生する楽曲データを操作するための入力装置である。例えばプレーヤがＤＪプレイ中にこのスクラッチ領域３１３に指を触れると、再生中の音楽が一時停止する。この領域から指を離すと、再び音楽の再生が始まる。この領域に指を触れた状態で指を円周方向に移動する（ドラッグ：ｄｒａｇ）と、その移動方向と移動距離と移動速度に応じた音楽の再生が行われる。つまり、レコードプレーヤにレコードを載置して、ターンテーブルを回転させ、ピックアップの針をレコードに置いて、レコードを再生している時に、レコードの回転を止めて、レコードを指で回転させる行為（スクラッチプレイ）と等しい操作を実現する。
【００２２】
また、スクラッチ領域３１３はサンプリング音再生時には四分割された再生指定ボタンとしても機能する。分割状態はＬＥＤのスクラッチインジケータ３２３で表示される。この状態では、指を円周方向に移動させてもスクラッチプレイは実行されない。
【００２３】
パッド３０２の外周に設けられた略円弧状の領域のうち、上半分の二つの領域は、左側がＡチャンネルピッチ領域３１４であり、右側がＢチャンネルピッチ領域３１５である。プレーヤがＤＪプレイ中にこのＡチャンネルピッチ領域３１４又はＢチャンネルピッチ領域３１５に指を触れて、指を円周方向に移動すると、デジタルオーディオデータ再生装置１０１は、その移動方向と移動量に応じて再生中の音楽の再生速度を連続的に変化させる。つまり、周知のピッチコントロール機能である。又、この領域には、両端に「＋（プラス）」と「−（マイナス）」の記号が印刷されている。この「＋」又は「−」の部分に指を触れると、その度に１ステップずつピッチを調節できるようになっている。
Ａチャンネルピッチ領域３１４の外周側に設けられているＡピッチインジケータ３２４及びＢチャンネルピッチ領域３１５の外周側に設けられているＢピッチインジケータ３２５は、それぞれ原曲と比べてどの程度ピッチが変更されたかの、ピッチ変更量を表示する。
【００２４】
パッド３０２の外周に設けられた略円弧状の領域のうち、下半分の二つの領域は、左側がＡチャンネルボリューム領域３１６であり、右側がＢチャンネルボリューム領域３１７である。プレーヤがＤＪプレイ中にこのＡチャンネルボリューム領域３１６又はＢチャンネルボリューム領域３１７に指を触れて、指を円周方向に移動すると、デジタルオーディオデータ再生装置１０１は、その移動方向と移動量とに応じて再生中の音楽の音量を連続的に変化させる。つまり、周知のフェーダを実現している。
Ａチャンネルボリューム領域３１６の外周側に設けられているＡボリュームインジケータ３２６及びＢチャンネルボリューム領域３１７の外周側に設けられているＢボリュームインジケータ３２７は、それぞれ音量を表示する。
【００２５】
パッド３０２の外周に設けられた略円弧状の領域のうち、一番下の中心部分にある領域は、クロスフェード領域３１８である。プレーヤがＤＪプレイ中にこのクロスフェード領域３１８に指を触れて、指を円周方向に移動すると、その移動方向と移動量とに応じて、ＡチャンネルとＢチャンネルの音量が相対的に変化する。つまり、周知のクロスフェーダを実現している。
このクロスフェード領域３１８の外周側に設けられているクロスフェードインジケータ３２８は、クロスフェードの割合を表示する。
【００２６】
次に、デジタルオーディオデータ再生装置１０１の機能の詳細について、図４に従って説明する。
ＨＤＤあるいはＣＦカード等よりなる不揮発性ストレージ４０２には、複数の音声データファイルが格納されている。なお、図４以降では、Ａチャンネルに割り当てられた音声データファイルを第一音楽データファイル４０３、Ｂチャンネルに割り当てられた音声データファイルを第二音楽データファイル４０４と呼ぶ。
第一音楽データファイル４０３及び第二音楽データファイル４０４は、それぞれ再生処理部４０５に読み込まれ、再生処理が行われる。
再生処理部４０５は、本体側制御部４０６とリモコン側制御部４０７とによって制御される。なお、この本体側制御部４０６とリモコン側制御部４０７は同一のマイコンであるが、機能で分割して表している。そして、本体側制御部４０６には表示部１０３と操作部４０８が接続されており、リモコン側制御部４０７には無線通信部４０９が接続されている。
無線通信部４０９は、例えば２．４ＧＨｚの電波を用いて、リモコン１０４と双方向のデータ通信を行う。そして、この無線通信部４０９は、リモコン１０４から送信されてきた操作データを受信すると、これを具体的な制御指令に変換して再生処理部４０５を制御すると共に、必要に応じて制御状態を示すインジケータ駆動制御情報を生成してリモコン１０４に送信する。
【００２７】
再生処理部４０５は、マスタ出力端子４１０と、モニタ端子４１３の、二系統の出力端子を備える。これらはステレオ出力となっている。
マスタ出力端子４１０は、アンプ４１１等を接続する端子で、観客等の視聴者に実際に聴かせるためのアナログ音声信号を出力する。
モニタ端子４１３は、ヘッドホン４１４を接続して、マスタ出力端子４１０とは別の、Ａチャンネル又はＢチャンネルのいずれかのアナログ音声信号を出力する。
【００２８】
次に、再生処理部４０５の詳細を図５に従って説明する。
不揮発性ストレージ４０２に格納されている複数の音声データファイルは、ファイルシステム５０４を通じて第一音楽データファイル４０３及び第二音楽データファイル４０４が指定される。
【００２９】
第一デコーダ５０２ａ、第二デコーダ５０２ｂ及びファイルシステム５０４は本体側制御部４０６に接続され、操作部４０８を通じて制御される。
第一信号処理部５０３ａ、第二信号処理部５０３ｂ、第一セレクタスイッチ５０５ａ、第二セレクタスイッチ５０５ｂ、サンプリングセレクタスイッチ５０６、クロスフェーダ５０８、そしてモニタセレクタ５１０はリモコン側制御部４０７に接続され、リモコン１０４に設けられている操作部４０８やパッド３０２を通じて制御される。
【００３０】
第一デコーダ５０２ａは、第一音楽データファイル４０３を読み込み、複数のフォーマットの音声データファイルのそれぞれに適合した、適切なデコード処理を施して、生のＰＣＭオーディオデータに変換する。
【００３１】
ここで、第一デコーダ５０２ａと第二デコーダ５０２ｂは同一の機能を有する。同様に、第一信号処理部５０３ａと第二信号処理部５０３ｂも同一の機能を有する。この、第一デコーダ５０２ａと第一信号処理部５０３ａはＡチャンネルに属し、第一音楽データファイル４０３を処理する。又、第二デコーダ５０２ｂと第二信号処理部５０３ｂはＢチャンネルに属し、第二音楽データファイル４０４を処理する。以下、第一デコーダ５０２ａと第一信号処理部５０３ａを説明し、第二デコーダ５０２ｂと第二信号処理部５０３ｂの説明は省略する。
【００３２】
そして、第一信号処理部５０３ａは第一デコーダ５０２ａが出力する生のＰＣＭオーディオデータに所定の信号処理を施す。ここで、第一信号処理部５０３ａが出力するＰＣＭオーディオデータは、第一セレクタスイッチ５０５ａとサンプリングセレクタスイッチ５０６とに供給される。
第一セレクタスイッチ５０５ａは、第一信号処理部５０３ａから出力されたＰＣＭオーディオデータと、サンプリング用ＲＡＭ５０７から出力されたＰＣＭオーディオデータとのいずれかを選択するスイッチである。
サンプリングセレクタスイッチ５０６は、第一信号処理部５０３ａから出力されたＰＣＭオーディオデータと、第二信号処理部５０３ｂから出力されたＰＣＭオーディオデータとのいずれかを選択して、サンプリング用ＲＡＭ５０７に供給するためのスイッチである。
【００３３】
第二セレクタスイッチ５０５ｂは、第二信号処理部５０３ｂから出力されたＰＣＭオーディオデータと、サンプリング用ＲＡＭ５０７から出力されたＰＣＭオーディオデータとのいずれかを選択するスイッチである。
【００３４】
第一セレクタスイッチ５０５ａから出力されるＰＣＭオーディオデータと、第二セレクタスイッチ５０５ｂから出力されるＰＣＭオーディオデータは、クロスフェーダ５０８に入力される。クロスフェーダ５０８から出力された出力信号は、Ｄ／Ａ変換器５０９ａによってデジタル−アナログ変換され、アナログ音声信号となる。このアナログ音声信号は、マスタ出力端子４１０を通じて外部機器へ出力される。
一方、第一セレクタスイッチ５０５ａから出力されるＰＣＭオーディオデータと、第二セレクタスイッチ５０５ｂから出力されるＰＣＭオーディオデータは、モニタセレクタスイッチ５１０にも入力される。このモニタセレクタスイッチ５１０の出力信号は、Ｄ／Ａ変換器５０９ｂによってデジタル−アナログ変換され、アナログ音声信号となる。このアナログ音声信号は、モニタ端子４１３を通じてヘッドホン４１４等へ出力される。
【００３５】
次に、第一信号処理部５０３ａ及び第二信号処理部５０３ｂの詳細について、図６に従って説明する。第一信号処理部５０３ａと第二信号処理部５０３ｂは同一の機能を備えているので、ここでは第一信号処理部５０３ａのみ説明する。この第一信号処理部５０３ａは、可変速再生処理部６０２ａと、エフェクタ部６０３ａと、デジタルフェーダ６０４ａを備える。
【００３６】
可変速再生処理部６０２ａは、第一デコーダ５０２ａから出力される生のＰＣＭオーディオデータの再生速度を変更する。具体的には、生のＰＣＭオーディオデータに、時間軸圧縮・伸張処理を施す。そして、可変速再生処理部６０２ａには、リモコン１０４のスクラッチ領域３１３及びＡチャンネルピッチ領域３１４の操作に起因する制御情報が与えられる。
【００３７】
エフェクタ部６０３ａは、可変速再生処理部６０２ａから出力されるＰＣＭオーディオデータに、所定のエフェクト処理を加える。そして、エフェクタ部６０３ａには、リモコン１０４のＬＰＦボタン３０３、ＨＰＦボタン３０４、ＦＬＧボタン３０５、ＰＨＳボタン３０６、ＤＬＹボタン３０７、ＲＥＶボタン３０８、ＴＲＩＭつまみ３０９ａ及び３０９ｂ、ＨＩＧＨつまみ３１０ａ及び３１０ｂ、ＭＩＤつまみ３１１ａ及び３１１ｂ及びＬＯＷつまみ３１２ａ及び３１２ｂに起因する制御情報が与えられる。
【００３８】
デジタルフェーダ６０４ａは、エフェクタ部６０３ａから出力されるＰＣＭオーディオデータの音量を調節する。そして、デジタルフェーダ６０４ａには、リモコン１０４のＡチャンネルボリューム領域３１６及びクロスフェード領域３１８に起因する制御情報が与えられる。
【００３９】
次に、リモコン１０４の機能について、図７に従って説明する。
操作部７０２は、ＬＰＦボタン３０３、ＨＰＦボタン３０４、ＦＬＧボタン３０５、ＰＨＳボタン３０６、ＤＬＹボタン３０７、ＲＥＶボタン３０８、ＴＲＩＭつまみ３０９ａ及び３０９ｂ、ＨＩＧＨつまみ３１０ａ及び３１０ｂ、ＭＩＤつまみ３１１ａ及び３１１ｂ及びＬＯＷつまみ３１２ａ及び３１２ｂを有している。
センサ基板７０３とＬＥＤアレイ７０４は、パッド３０２の直下に埋設されている。
センサ基板７０３は位置検出部７０５に接続されている。この位置検出部７０５は指の存在の有無とそのアドレスを出力する。センサ基板７０３と位置検出部７０５は、パッド３０２上の指の位置を検出するセンサとして機能する。
ＬＥＤアレイ７０４は表示駆動部７０６に接続される。
入出力制御部７０７はマイコンからなり、操作部７０２から操作情報を得て、位置検出部７０５から指の有無とアドレスを得て、表示駆動部７０６にＬＥＤの表示を制御するための表示制御情報を与える。そして、この入出力制御部７０７は無線通信部７０８に接続されると共にこの無線通信部７０８を介して、制御のための操作データを本体部１０２へ送信する。更に、入出力制御部７０７は、この無線通信部７０８を介して、本体部１０２からのＬＥＤアレイ７０４の表示制御情報を受信し、表示駆動部７０６を通じてＬＥＤの発光駆動を制御する。
【００４０】
次に、センサ基板７０３の概要を図８に従って説明する。
このセンサ基板７０３には、複数の受信電極が設けられている。
この受信電極は、スクラッチ領域３１３の直下に設けられているスクラッチ用受信電極８０２と、Ａチャンネルボリューム領域３１６の直下に設けられているＡチャンネルボリューム用受信電極８０３と、Ａチャンネルピッチ領域３１４の直下に設けられているＡチャンネルピッチ用受信電極８０４と、Ｂチャンネルピッチ領域３１５の直下に設けられているＢチャンネルピッチ用受信電極８０５と、Ｂチャンネルボリューム領域３１７の直下に設けられているＢチャンネルボリューム用受信電極８０６と、クロスフェード領域３１８の直下に設けられているクロスフェーダ用受信電極８０７とからなる。
【００４１】
Ａチャンネルピッチ用受信電極８０４の両脇には、Ａプラス微調整用受信電極８０４ａと、Ａマイナス微調整用受信電極８０４ｂとが設けられている。このＡプラス微調整用受信電極８０４ａは、Ａチャンネルピッチ領域３１４の「＋（プラス）」が印刷されている箇所の直下に設けられる。同様に、Ａマイナス微調整用受信電極８０４ｂは、Ａチャンネルピッチ領域３１４の「−（マイナス）」が印刷されている箇所の直下に設けられる。
【００４２】
Ｂチャンネルピッチ用受信電極８０５の両脇には、Ｂプラス微調整用受信電極８０５ａと、Ｂマイナス微調整用受信電極８０５ｂとが設けられている。このＢプラス微調整用受信電極８０５ａは、Ｂチャンネルピッチ領域３１５の「＋（プラス）」が印刷されている箇所の直下に設けられる。同様に、Ｂマイナス微調整用受信電極８０５ｂは、Ｂチャンネルピッチ領域３１５の「−（マイナス）」が印刷されている箇所の直下に設けられる。
【００４３】
ところで、スクラッチ用受信電極８０２、Ａチャンネルボリューム用受信電極８０３、Ａチャンネルピッチ用受信電極８０４、Ｂチャンネルピッチ用受信電極８０５、Ｂチャンネルボリューム用受信電極８０６、及びクロスフェーダ用受信電極８０７は、連続する一次元のアドレス情報に対応している。
【００４４】
スクラッチ用受信電極８０２、Ａチャンネルボリューム用受信電極８０３、Ａチャンネルピッチ用受信電極８０４、Ｂチャンネルピッチ用受信電極８０５、Ｂチャンネルボリューム用受信電極８０６、そしてクロスフェーダ用受信電極８０７に割り当てられるアドレスの一例を示すと、スクラッチ用受信電極８０２は、０から１２７までの１２８個のアドレスに対応する。Ａチャンネルボリューム用受信電極８０３は、１２８から２１０までの８３個のアドレスに対応している。Ａプラス微調整用受信電極８０４ａは、アドレス「２１１」、つまり１個のアドレスに対応している。Ａチャンネルピッチ用受信電極８０４は、２１２から２９２までの８１個のアドレスに対応している。Ａマイナス微調整用受信電極８０４ｂは、アドレス「２９３」、つまり１個のアドレスに対応している。Ｂマイナス微調整用受信電極８０５ｂは、アドレス「２９４」、つまり１個のアドレスに対応している。Ｂチャンネルピッチ用受信電極８０５は、２９５から３７５までの８１個のアドレスに対応している。Ｂプラス微調整用受信電極８０５ａは、アドレス「３７６」、つまり１個のアドレスに対応している。Ｂチャンネルボリューム用受信電極８０６は、３７７から４５９までの８３個のアドレスに対応している。クロスフェーダ用受信電極８０７は、４６０から５１１までの５２個のアドレスに対応している。
【００４５】
そして、センサ基板７０３に配置された各受信電極８０２〜８０７は、指が触る箇所に対応する、ユニークな一次元のアドレスに対応している。そして、位置検出部７０５は、指が触れた箇所のアドレスを出力する。このアドレス情報は、入出力制御部７０７を通じて無線通信部７０８に入力され、この無線通信部７０８がアンテナ７０９を介して電波に乗せて出力する。
【００４６】
本体部１０２の無線通信部４０９はアンテナ４１５から電波を受信し、復調したアドレス情報をリモコン側制御部４０７に出力する。リモコン側制御部４０７は、無線通信部４０９から受信したアドレス情報に基づいて、前述の様々な機能を実現するべく、再生処理部４０５を制御する。
例えば、指がパッド３０２に触れられていない状態から、０から１２７までのアドレスを受信したときは、リモコン側制御部４０７は第一信号処理部５０３ａにＰＣＭオーディオデータの転送を停止する。そしてその後、０から１２７までのアドレスの範囲で、連続するアドレスを受信すると、リモコン側制御部４０７は第一信号処理部５０３ａにアドレスの変化方向と転送速度に応じたＰＣＭオーディオデータの再生の制御を実行することで、スクラッチプレイを実現する。
【００４７】
また、本実施形態におけるデジタルオーディオデータ再生装置は、複数の楽曲データを記録可能な不揮発性ストレージ４０２を設け、更に操作部分をリモコン１０４として脱着可能にしたことで、メディアの交換をする必要がないので、プレーヤによる操作や行動の自由度の制約から開放される。その結果、プレーヤは自由なパフォーマンスを行うことができる。
【００４８】
本実施形態のリモコンは、絶対アドレスを出力する静電式の位置検出装置を備える。パッドを複数の領域に分割し、それぞれの領域に特有の機能を割り当てるためには、受信側の装置が受信したアドレスに応じて機能を区別するだけでよい。静電式の位置検出装置なので機構部分が存在しないから、本実施形態のリモコンは、通常使用に伴う機械的脆弱性が原理的に存在し得ない。
【００４９】
更に、コンピュータの入力装置等に適用される二次元のアドレスを出力する位置検出装置とは異なり、一次元のアドレス情報だけを出力するようになっている。したがって、スキャン速度が遅くても、本実施形態のデジタルオーディオデータ再生装置のための使用には十分足りる。
従って、部品コストは低廉で、構造はシンプルであり、故に壊れ難く、設計は容易であり、また設計変更も容易なデジタルオーディオデータ再生装置を提供することができる。
【００５０】
更に、指の接触を検出すると、一次元の絶対アドレスを出力する静電式位置検出装置を、ＤＪプレイのパッドに採用した。ＤＪプレイに必須の、スクラッチパッド、２チャンネル分のフェーダ及びピッチコントロール、そしてクロスフェーダの操作を、静電式位置検出装置で検出し、アドレス情報を出力する。アドレス情報を受信する制御部は、アドレスの範囲で実行する機能を区別する。シンプルな構造でありながら多彩な機能を備える、デジタルオーディオデータ再生装置を実現できる。
更に、出力する情報は一次元のアドレス情報なので、情報の形態がシンプルである。このため、主たる操作部分を独立した機器であるリモコンとして形成し、電波で制御情報を出力することも容易に実現できる。
【００５１】
以上、本発明の実施形態例について説明したが、本発明は上記実施形態例に限定されるものではなく、特許請求の範囲に記載した本発明の要旨を逸脱しない限りにおいて、他の変形例、応用例を含む。
【符号の説明】
【００５２】
１０１…デジタルオーディオデータ再生装置、１０２…本体部、１０３…表示部、１０４…リモコン、１０５…離脱ボタン、１０６…レベルインジケータ、１０７ａ、１０７ｂ、１０７ｃ、１０７ｄ…サンプル指定ボタン、１０８…サンプル録音ボタン、１０９…サンプル再生ボタン、１１０…フレーズ録音ボタン、１１１…「ＢＡＣＫ」ボタン、１１２…トラック選択ボタン、１１３…Ａチャンネル指定ボタン、１１４…Ｂチャンネル指定ボタン、１１５…「ＣＵＥ」ボタン、１１６…再生／一時停止ボタン、１１７…ジョグダイヤル、３０２…パッド、３０３…ＬＰＦボタン、３０４…ＨＰＦボタン、３０５…ＦＬＧボタン、３０６…ＰＨＳボタン、３０７…ＤＬＹボタン、３０８…ＲＥＶボタン、３０９ａ、３０９ｂ…ＴＲＩＭつまみ、３１０ａ、３１０ｂ…ＨＩＧＨつまみ、３１１ａ、３１１ｂ…ＭＩＤつまみ、３１２ａ、３１２ｂ…ＬＯＷつまみ、３１３…スクラッチ領域、３２３…スクラッチインジケータ、３１４…Ａチャンネルピッチ領域、３１５…Ｂチャンネルピッチ領域、３２４…Ａピッチインジケータ、３２５…Ｂピッチインジケータ、３１６…Ａチャンネルボリューム領域、３１７…Ｂチャンネルボリューム領域、３２６…Ａボリュームインジケータ、３２７…Ｂボリュームインジケータ、３１８…クロスフェーダ領域、３２８…クロスフェードインジケータ、４０２…不揮発性ストレージ、４０３…第一音楽データファイル、４０４…第二音楽データファイル、４０５…再生処理部、４０６…本体側制御部、４０７…リモコン側制御部、４０８…操作部、４０９…無線通信部、４１０…マスタ出力端子、４１１…アンプ、４１３…モニタ端子、４１４…ヘッドホン、５０２ａ…第一デコーダ、５０２ｂ…第二デコーダ、５０３ａ…第一信号処理部、５０３ｂ…第二信号処理部、５０４…ファイルシステム、５０５ａ…第一セレクタスイッチ、５０５ｂ…第二セレクタスイッチ、５０６…サンプリングセレクタスイッチ、５０７…サンプリング用ＲＡＭ、５０８…クロスフェーダ、５０９ａ…Ｄ／Ａ変換器、５０９ｂ…Ｄ／Ａ変換器、５１０…モニタセレクタスイッチ、６０２ａ…可変速再生処理部、６０３ａ…エフェクタ部、６０４ａ…デジタルフェーダ、７０２…操作部、７０３…センサ基板、７０４…ＬＥＤアレイ、７０５…位置検出部、７０６…表示駆動部、７０７…入出力制御部、７０８…無線通信部、８０２…スクラッチ用受信電極、８０３…Ａチャンネルボリューム用受信電極、８０４…Ａチャンネルピッチ用受信電極、８０４ａ…Ａプラス微調整用受信電極、８０４ｂ…Ａマイナス微調整用受信電極、８０５…Ｂチャンネルピッチ用受信電極、８０５ａ…Ｂプラス微調整用受信電極、８０５ｂ…Ｂマイナス微調整用受信電極、８０６…Ｂチャンネルボリューム用受信電極、８０７…クロスフェーダ用受信電極
【図１】
2010211878.tif 000003
【図２】
2010211878.tif 000004
【図３】
2010211878.tif 000005
【図４】
2010211878.tif 000006
【図５】
2010211878.tif 000007
【図６】
2010211878.tif 000008
【図７】
2010211878.tif 000009
【図８】
2010211878.tif 000010